(57)【特許請求の範囲】
【請求項１】
１ケーブルを構成する所要長さの複数のＰＣ鋼より線をキャリアに分割して巻き取り、
該キャリアを構造物の構築現場に搬入した後、
前記各キャリアからＰＣ鋼より線を引き出してその先端部を所要形状に束ねてパイロットキャップでクランプし、
キャリアとパイロットキャップとの間で、適宜数の捌きローラ装置を配設し、
当該捌きローラ装置とパイロットキャップとの間に成型ローラを配設し、
前記パイロットキャップに引き込みワイヤーを連結して、ＰＣ鋼より線を所要形状に連続成形しながら引き込むこと、
を特徴とするケーブルの配線方法。
【請求項２】
所望測長のＰＣ鋼より線を巻き取るキャリアと、
該キャリアから引き出されたＰＣ鋼より線を上下方向に一列に併設するバーチカルガイドと、
該バーチカルガイドからのＰＣ鋼より線を上下・左右に位置規制する捌きローラ装置と、
該捌きローラ装置からのＰＣ鋼より線を所要の形状に揃える成型ローラとでなること、
を特徴とするケーブルの配線装置。
【発明の詳細な説明】
【０００１】
【発明の属する技術分野】
本発明は、ＰＣ鋼より線若しくはポリエチレン（ＰＥ）被覆を施したＰＣ鋼より線を、橋梁等にケーブルとして一括して配線するためのケーブルの配線方法と配線装置とに関する。
【０００２】
【従来の技術】
従来、例えば、１ケーブルを構成する複数のＰＣ鋼より線を工場において予め所定の長さに測長して、それを束ねながらのキャリアに巻き取らせ、該キャリアを運搬車で建築現場に搬入し、そのキャリアからケーブルを引き出して、配線するものである。
【０００３】
【発明が解決しようとする課題】
しかしながら、橋梁等の構造物の大型化に伴い、大容量のケーブルが要求され、１ケーブルを構成するＰＣ鋼より線の数も増大して、その長さや重量も増えて特殊なキャリアやこれを扱うキャリア及び重機等が必要となって、コストの上昇を招いている。また、ケーブル長が長くなると、ＰＣ鋼より線は単に束ねられているだけなので、配線作業中に、ケーブルの形が崩れてＰＣ鋼より線同士がよじれたり捻れたりするという課題がある。本発明に係るケーブルの配線方法と配線装置は、このような課題を解消するために提案されるものである。
【０００４】
【課題を解決するための手段】
本発明に係るケーブルの配線方法の上記課題を解決するための要旨は、１ケーブルを構成する所要長さの複数のＰＣ鋼より線をキャリアに分割して巻き取り、該キャリアを構造物の構築現場に搬入した後、前記各キャリアからＰＣ鋼より線を引き出してその先端部を所要形状に束ねてパイロットキャップでクランプし、キャリアとパイロットキャップとの間で、適宜数の捌きローラ装置を配設し、当該捌きローラ装置とパイロットキャップとの間に成型ローラを配設し、前記パイロットキャップに引き込みワイヤーを連結して、ＰＣ鋼より線を所要形状に連続成形しながら引き込むことである。
【０００５】
本発明に係るケーブルの配線装置の要旨は、所望測長のＰＣ鋼より線を巻き取るキャリアと、該キャリアから引き出されたＰＣ鋼より線を上下方向に一列に併設するバーチカルガイドと、該バーチカルガイドからのＰＣ鋼より線を上下・左右に位置規制する捌きローラ装置と、該捌きローラ装置からのＰＣ鋼より線を所要の形状に揃える成型ローラとでなることである。
【０００６】
本発明に係るケーブルの配線方法と配線装置によれば、複数のキャリアに所望の長さに切断されたＰＣ鋼より線を巻き取り、建築現場に搬入するようにすることで、構造物の大型化に伴うケーブルの重量化に対して、細分化して対応させることが出来る。
【０００７】
所要形状にした上で複数のキャリアから引き出した複数のＰＣ鋼より線の先端部を、まず、仮クランプで束ね、パイロットキャップを取り付け、配線装置を挿通させ引き込みワイヤーで引き込むことで、複数のＰＣ鋼より線を所要形状（例えば、六角形）に交錯することなく連続成形して束ね、１ケーブルとして配線することが出来るものである。
【０００８】
【発明の実施の形態】
次に、本発明に係るケーブルの配線方法と配線装置について図面を参照して説明する。図１乃至図２は、ケーブルの配線方法の概略実施態様を示すもので、ＰＣ鋼より線１は、所定の長さに測長されたもので、必要数（例えば、１９本）がキャリア２，２に分割（例えば、１０本，９本）して巻き取られている。よって、ケーブルが大型化しても、２ｔ程度の通常のキャリアを用いることができ、その運搬にも特殊な車両を必要とするものではない。
【０００９】
前記ＰＣ鋼より線１の測長及びキャリア２への巻き取り作業は、例えば、工場にて行うものである。そして、キャリア２を建築現場に搬入して、アンリーラー２ａの上に載置する。当該現場においては、配線装置３が用意される。この配線装置３の各構成について、図３乃至図６を参照して詳細に説明する。
【００１０】
配線装置３の基台３ａ上に、先端側から後端側へ順にバーチカルガイド４、捌きローラ装置５、六角ローラ６が各々設けられている。前記バーチカルガイド４は、図３に示すように、所要の間隔をおいて対向面に回転自在な縦ローラ４ｃ及びガイド板４ｄを配設してなるガイド部材４ａ，４ｂにより、前記アンリーラー２ａの上に置かれたキャリア２から引き出された所要複数本のＰＣ鋼より線１を上下方向に一列に揃えて配設し、ＰＣ鋼より線１，１，…が互いに交錯しないようにガイドするものである。
【００１１】
前記捌きローラ装置５は、図４（イ）、（ロ）に示すように、框体６に左右方向に所要間隔を置いて上下方向に垂設した回転自在なローラ７，７を有して形成された縦捌きローラ５ａと、図５に示すように、框体８に上下方向に所要間隔をおいて左右方向に平行に架設した回転自在なローラ９を有して形成された横捌きローラ５ｂとで構成されている。前記縦捌きローラ５ａは、ＰＣ鋼より線１の左右方向の位置規制をするものであり、一方のローラ７は、取り付け部の長孔６ａと調節ネジ部６ｂとによって、左右方向に移動調整可能にされている。また、横捌きローラ５ｂにおけるローラ９，９間の上下間隔は、ＰＣ鋼より線１の直径の２倍未満にして、該ＰＣ鋼より線１が交錯しないように設定されている。
【００１２】
前記六角ローラ（成型ローラ）１０は、図６に示すように、ＰＣ鋼より線１を所定の形状になるように束ねて成形するものであって、例えば、六角ローラである場合には、ヒンジ１１ａにより開閉自在でボルトナット等で固定する六角形状の框体１１の各々の内壁面に、コ字型の支持部材１１ｂと、該支持部材１１ｂに軸装される軸１１ｃと、該軸１１ｃにベアリングを介して回転自在に軸着されるローラ１２とを設ける。当該框体１１の中心に向かって六角状に配置されて支持された六個の前記ローラ１２により、各ＰＣ鋼より線１が束ねられて六角形状に成形されるものである。
【００１３】
なお、基台３ａの先端と後端において、左右方向にガイド用のローラ１３，１４が配設されている。
【００１４】
このような配線装置３を使用してＰＣ鋼より線１を所定形状に連続成形する方法について説明する。まず、前記各キャリア２，２からＰＣ鋼より線１を引き出してその先端部を所要形状（六角形）に束ねてパイロットキャップ１５でクランプする。
【００１５】
前記キャリア２とパイロットキャップ１５との間で、バーチカルガイド４と捌きローラ装置５とを配設し、当該捌きローラ装置５とパイロットキャップ１５との間に成型ローラ１０を配設し、各ＰＣ鋼より１を適宜配置になるように挿通して、その後、前記パイロットキャップ１５に引き込みワイヤーを連結して、ＰＣ鋼より線１を所要形状に連続成形しながら所定方向に引き込む。すると、ＰＣ鋼より線１は、キャリア２から引き出されてバーチカルガイド４で上下方向に一列に整列され、そして、縦捌きローラ５ａと横捌きローラ５ｂとでなる捌きローラ装置５で上下左右に振り分けられ、更に、成型ローラ１０で所要形状に成形され、一つのケーブルとなったものを定着部間に架設し緊張・定着させるものである。
【００１６】
【発明の効果】
以上説明したように、本発明に係るケーブルの配線方法は、１ケーブルを構成する所要長さの複数のＰＣ鋼より線をキャリアに分割して巻き取り、該キャリアを構造物の構築現場に搬入した後、前記各キャリアからＰＣ鋼より線を引き出してその先端部を所要形状に束ねてパイロットキャップでクランプし、キャリアとパイロットキャップとの間で、適宜数の捌きローラ装置を配設し、当該捌きローラ装置とパイロットキャップとの間に成型ローラを配設し、前記パイロットキャップに引き込みワイヤーを連結して、ＰＣ鋼より線を所要形状に連続成形しながら引き込むケーブルの配線方法なので、複数のキャリアに所望の長さに切断されたＰＣ鋼より線を巻き取り、建築現場に搬入するようにすることで、構造物の大型化に伴うケーブルの重量化に対して、既存の輸送手段で柔軟に対応させることが出来るという優れた効果を奏するものである。
また、所要形状に束ねるパイロットキャップを引き込みワイヤーで引き込むことで、複数のＰＣ鋼より線を所要形状に連続成形して束ね、一ケーブルとして容易に配線することが出来るものであるという優れた効果を奏するものである。
【００１７】
本発明に係るケーブルの配線装置は、所望測長のＰＣ鋼より線を巻き取るキャリアと、該キャリアから引き出されたＰＣ鋼より線を上下方向に一列に併設するバーチカルガイドと、該バーチカルガイドからのＰＣ鋼より線を上下・左右に位置規制する捌きローラ装置と、該捌きローラ装置からのＰＣ鋼より線を所要の形状に揃える成型ローラとでなるので、多数のＰＣ鋼より線からなる所定形状のケーブルを交錯することなく容易に連続成形することができるという優れた効果を奏するものである。
【図面の簡単な説明】
【図１】本発明に係るケーブルの配線方法と配線装置の概要を示す平面図である。
【図２】同本発明に係るケーブルの配線方法と配線装置の概要を示す正面図である。
【図３】同本発明に係るケーブルの配線装置のバーチカルガイドの正面図（イ）と、その一部の拡大平面図（ロ）である。
【図４】同本発明に係るケーブルの配線装置の縦捌きローラ５ａの、平面図（イ）と正面図（ロ）である。
【図５】同本発明に係るケーブルの配線装置の横捌きローラ５ｂの正面図である。
【図６】同本発明に係るケーブルの配線装置の成型ローラの正面図である。
【符号の説明】
１  ＰＣ鋼より線、２  キャリア、３  配線装置、
３ａ  基台、４  バーチカルガイド、４ｃ  縦ローラ、５  捌きローラ装置、
５ａ  縦捌きローラ、５ｂ  横捌きローラ、６，８  框体、
７，９  ローラ、１０  成型ローラ、１１  框体、１２  ローラ、
１３，１４  ローラ、１５  パイロットキャップ。
【図１】
0004276731.tif 000002
【図２】
0004276731.tif 000003
【図３】
0004276731.tif 000004
【図４】
0004276731.tif 000005
【図５】
0004276731.tif 000006
【図６】
0004276731.tif 000007